(57)【要約】      （修正有）【課題】人体の前屈ストレッチや筋力強化等において効果を高め、胡座姿勢における腰痛を防止することができる多目的座面布団を提供する。【解決手段】スポンジ製の基材１において、上面２の一辺を面取りして傾斜部３を形成し、且つ、該傾斜部に溝部４を設けて座布団と成し、前記溝部に坐骨を載せ、且つ、前記傾斜部に大腿部を載せて坐骨を前傾せしめ、上体の前屈ストレッチ運動等においてストレッチ効果や筋力強化を高め、或いは、胡座姿勢における腰痛を防止する。【選択図】図４
0003147128.tif 000002
【実用新案登録請求の範囲】
【請求項１】
ゴムスポンジ又はプラスチックススポンジ製の略直方体の基材（１）において、上面（２）の一辺を面取りして傾斜部（３）を形成し、且つ、該傾斜部（３）の面取りした辺と平行に溝部（４）を設けて座布団と成し、前記溝部（４）に坐骨を載せ、且つ、前記傾斜部（３）に大腿部を載せて坐骨を前傾せしめ、上体の前屈ストレッチ運動等においてストレッチ効果を高めたり、前記傾斜部（３）上り方向に人体を向かせて腹部或いは大腿部を前記傾斜部（３）に載せ、脚部を第三者に押さえてもらいながら上体起し腹筋・背筋運動をしたり、前記傾斜部（３）上り方向に人体を向かせて側腰部或いは側大腿部を前記傾斜部（３）に載せ、脚部を第三者に押さえてもらいながら上体起し腹筋運動をしたり、前記傾斜部（３）の上り方向に向かって前記傾斜部（３）に腰掛け、脚部を第三者に押さえてもらいながら上体起し腹筋・背筋運動をしたり、前記傾斜部（３）上り方向に人体を向いて前記傾斜部（３）に膝をつかせ、脚部を第三者に押さえてもらいながら上体起し腹筋・背筋運動をしたり、前記傾斜部（３）の上り方向或いは下り方向に向かって立ち、スクワット運動したりすることにより、人体各部の筋力を強化でき、且つ、前記傾斜部（３）の前記溝部（４）に坐骨を載せて、テレビ鑑賞などで、胡座姿勢における腰痛を防止できることを特徴とする多目的座布団。
【請求項２】
基材（１）の傾斜部（３）の溝部（４）にピロー（９）を挿入し、且つ、前記傾斜部（３）の下端（６）方向にマット（１０）及び（１１）を並べることにより、アスリートが競技場等で出番を待つ間に、寝そべって休憩できることを特徴とする請求項１に記載の多目的座布団。
【請求項３】
基材（１）の全部或いは上面（２）、傾斜部（３）及び溝部（４）の全部又は一部に滑り止め具（８）を設けて、人体を載せた時に滑落防止できることを特徴とする請求項１に記載の多目的座布団。
【考案の詳細な説明】
【技術分野】
【０００１】本考案は、ストレッチ運動におけるストレッチ効果の向上や、腹筋・背筋等身体各部の筋力強化、或いは、胡座姿勢における腰痛防止のための器具に関するものである。
【背景技術】
【０００２】
【特許文献１】特許公開２００７−１２５３４６号公報
【特許文献２】実用新案登録第３０８５５３８号公報
【０００３】（特許文献１）特許公開２００７−１２５３４６号公報では、座布団及びクッションの中にバネを入れ、座布団及びクッションとして日常利用でき、且つ、ストレッチ運動の機能を有することと、バネの形状を、角がなく、先端と末端のない輪で１本につながったものであること、としか記載がなく、図面がなければ通常の技術を持ったものが容易につくり得るものではない。また、どのような機構でストレッチ機能や筋力強化機能を発揮するかも説明されていないところが難点である。【０００４】（特許文献２）実用新案登録第３０８５５３８号公報では、厚さ０．５〜２ｃｍの略四角形の発泡性樹脂材からなる板状マットと、このマットを収納するストレッチ素材からなる略四角形の袋体とを備えてなり、該袋体の少なくとも一つの辺にファスナーにより開閉可能な開口部を設け、該開口部から収納するマットの枚数を変更可能にすることにより、厚さを調整できるように形成されたことを特徴とする座布団が提案されているが、これは単に従来の座布団の厚さを変更可能にしたに過ぎず、ストレッチ運動におけるストレッチ効果の向上や筋力強化、或いは、胡座姿勢における腰痛防止のための器具に関するものではない。
【考案の開示】
【考案が解決しようとする課題】
【０００５】これまでのストレッチ運動や筋力強化に関する提案では、単にストレッチや筋力強化というキーワードが含まれているに過ぎず、どのような機構でストレッチ効果や筋力強化を発揮せしめるのか具体的説明が成されていない。本考案が解決しようとする課題は、人体の前屈ストレッチ運動等においてストレッチ効果を高めたり、身体各部の筋力を強化したり、或いは、胡座姿勢における腰痛を防止することにある。
【課題を解決するための手段】
【０００６】本考案の課題解決手段について説明する。
請求項１の考案においては、ゴムスポンジ又はプラスチックススポンジ製の略直方体の基材（１）において、上面（２）の一辺を面取りして傾斜部（３）を形成し、且つ、該傾斜部（３）の面取りした辺と平行に溝部（４）を設けて座布団と成し、前記溝部（４）に坐骨を載せ、且つ、前記傾斜部（３）に大腿部を載せて坐骨を前傾せしめ、上体の前屈ストレッチ運動等においてストレッチ効果を高めたり、前記傾斜部（３）上り方向に人体を向かせて腹部或いは大腿部を前記傾斜部（３）に載せ、脚部を第三者に押さえてもらいながら上体起し腹筋・背筋運動をしたり、前記傾斜部（３）上り方向に人体を向かせて側腰部或いは側大腿部を前記傾斜部（３）に載せ、脚部を第三者に押さえてもらいながら上体起し腹筋運動をしたり、前記傾斜部（３）の上り方向に向かって前記傾斜部（３）に腰掛け、脚部を第三者に押さえてもらいながら上体起し腹筋・背筋運動をしたり、前記傾斜部（３）上り方向に人体を向いて前記傾斜部（３）に膝をつかせ、脚部を第三者に押さえてもらいながら上体起し腹筋・背筋運動をしたり、前記傾斜部（３）の上り方向或いは下り方向に向かって立ち、スクワット運動したりすることにより、人体各部の筋力を強化でき、且つ、前記傾斜部（３）の前記溝部（４）に坐骨を載せて、テレビ鑑賞などで、胡座姿勢における腰痛を防止できる多目的座布団であることを特徴とする。【０００７】請求項２の考案においては、基材（１）の傾斜部（３）の溝部（４）にピロー（９）を挿入し、且つ、前記傾斜部（３）の下端（６）方向にマット（１０）及び（１１）を並べることにより、アスリートが競技場等で出番を待つ間に、寝そべって休憩できる請求項１に記載の多目的座布団であることを特徴とする。【０００８】請求項３の考案においては、基材（１）の全部或いは上面（２）、傾斜部（３）及び溝部（４）の全部又は一部に滑り止め具（８）を設けて、人体を載せた時に滑落防止できる請求項１に記載の多目的座布団であることを特徴とする。
【考案の効果】
【０００９】これまでのストレッチ運動に関する提案では、単にストレッチや筋力強化というキーワードが含まれているに過ぎず、どのような機構でストレッチ効果や筋力強化を発揮せしめるのか具体的説明が成されていないところに難点があったが、本考案の多目的座布団は使用方法が明確で、図面を見ただけでその効果を明確にイメージできる。すなわち、坐骨を基材（１）の傾斜部（３）の溝部（４）に載せ、且つ、大腿部を前記傾斜部（３）に載せれば、大腿部が傾斜している分だけ坐骨も直立或いは前傾しやすくなり、坐骨が直立或いは前傾しやすくなれば坐骨が傾斜している分だけ上体も前傾しやすくなり、上体が前傾しやすくなれば、これまで上体の前屈ストレッチが苦手だった人も、ストレッチ効果が向上することになる。【００１０】また、前記傾斜部（３）上り方向に人体を向かせて腹部或いは大腿部を前記傾斜部（３）に載せ、脚部を第三者に押さえてもらいながら上体起し腹筋・背筋運動をしたり、前記傾斜部（３）上り方向に人体を向かせて側腰部或いは側大腿部を前記傾斜部（３）に載せ、脚部を第三者に押さえてもらいながら上体起し腹筋運動をしたり、前記傾斜部（３）の上り方向に向かって前記傾斜部（３）に腰掛け、脚部を第三者に押さえてもらいながら上体起し腹筋・背筋運動をしたり、前記傾斜部（３）上り方向に人体を向いて前記傾斜部（３）に膝をつかせ、脚部を第三者に押さえてもらいながら上体起し腹筋・背筋運動をしたり、前記傾斜部（３）の上り方向或いは下り方向に向かって立ち、スクワット運動したりすることにより、人体各部の筋力を強化でき、且つ、前記傾斜部（３）の前記溝部（４）に坐骨を載せると、テレビ鑑賞などで、胡座姿勢における腰痛も防止でき健康的である。
【考案を実施するための最良の形態】
【００１１】考案を実施するための最良の形態について説明する。
［図１］に本考案の多目的座布団の具体的態様を示す側面図を、
［図２］に本考案の多目的座布団の具体的態様を示す正面図を、
［図３］に本考案の多目的座布団の他の実施例の具体的態様を示す側面図を、
［図４］に本考案の多目的座布団の他の実施例の具体的態様を示す側面図を、
［図５］に本考案の多目的座布団の他の実施例の具体的態様を示す側面図を、
それぞれ示す。
【実施例】
【００１２】本考案の実施例の具体的態様を、［図１］及び［図２］に基づいて説明する。
本考案の実施例では、ゴムスポンジ製の略直方体の基材（１）において、上面（２）の一辺を面取りして傾斜部（３）を形成し、且つ、該傾斜部（３）の一部に溝部（４）を設けて多目的座布団と成した。【００１３】次に、多目的座布団の具体的仕様について説明する。先ず、基材（１）にはゴムスポンジ（密度：５０ｋｇ／ｍ３）を使用し、基材（１）の外形寸法は縦長さ、横幅、高さをそれぞれ５５ｃｍ、５０ｃｍ、２２ｃｍとし、傾斜部（３）の縦方向の水平長さを５０ｃｍ、残りの上面（２）長さを５ｃｍとし、且つ、爪先部（６）の高さを６ｃｍとし、傾斜部（３）に横幅５０ｃｍ、縦長さ１５ｃｍ、深さ３ｃｍの矩形状の溝部（４）を形成した。また、該多目的座布団の表面全体を意匠性の観点からポリエステル繊維製カバー（図示せず）で覆った。【００１４】なお、本考案の実施例では基材（１）にゴムスポンジを使用したが、必ずしも実施例に限定されるものではない。ポリエチレンスポンジ製でもその他の発泡材料でもよい。また、基材（１）の外形寸法については縦長さは３０ｃｍ〜１２０ｃｍの範囲が好ましいが、横幅については１０ｃｍでもよく１０００ｃｍでもよく必ずしも実施例に限定されるものではない。【００１５】本考案の他の実施例を［図３］及び［図４］に基づいて説明する。
本考案の他の実施例では、基材（１）の傾斜部（３）の溝部（４）にピロー（９）を挿入し、且つ、前記傾斜部（３）の下端（６）方向にマット（１０）及び（１１）を並べることにより、アスリートが競技場等で出番を待つ間に、寝そべって休憩できるように成した。今までアスリート達は、自分のバッグを枕にしてグラウンドに寝そべったりしていたが、ピロー付の多目的座布団を使用すれば、せっかくウォーミングアップで温めた体を冷やさなくてすみ、頭部が高くなっているので寝心地も良い。【００１６】さらに本考案の他の実施例を、［図５］に基づいて説明する。
本考案の他の実施例では、基材（１）の全部或いは上面（２）、傾斜部（３）及び溝部（４）の全部又は一部に滑り止め具（８）を設けて、人体を載せた時に滑落防止できるように成した。これによって、人体の位置が安定しアスリートはストレッチや筋力トレーニングに集中することができる。
【産業上の利用可能性】
【００１７】これまでのストレッチ運動や筋力強化に関する提案では、単にストレッチや筋力強化というキーワードが含まれているに過ぎず、どのような機構でストレッチ効果や筋力強化を発揮せしめるのか、具体的説明が成されていないところに難点があったが、本考案の多目的座布団を使用すればストレッチ効果や筋力強化効果が明確なので、アスリートから一般人まで幅広く利用可能となる。特に日頃から運動の必要性は認識しているものの、なかなか運動できない現実がある中高年層の人々にとっても、テレビを見ながらちょっと前屈みになるだけでストレッチできることはとても魅力的であると考える。
【図面の簡単な説明】
【００１８】
【図１】は、本考案の多目的座布団の具体的態様を示す側面図である。
【図２】は、本考案の多目的座布団の具体的態様を示す正面図である。
【図３】は、本考案の多目的座布団の他の実施例の具体的態様を示す側面図である。
【図４】は、本考案の多目的座布団の他の実施例の具体的態様を示す側面図である。
【図５】は、本考案の多目的座布団の他の実施例の具体的態様を示す側面図である。
【図６】は、本考案の多目的座布団の前屈ストレッチ運動の側面写真である。
【図７】は、本考案の多目的座布団の前屈ストレッチ運動の正面写真である。
【図８】は、本考案の多目的座布団の上体起し運動の上体下限の側面写真である。
【図９】は、本考案の多目的座布団の上体起し運動の上体上限の側面写真である。
【図１０】は、本考案の多目的座布団の上体起し側面運動の上体下限の側面写真である。
【図１１】は、本考案の多目的座布団の上体起し側面運動の上体上限の側面写真である。
【図１２】は、本考案の多目的座布団の上体起し運動の上体下限の側面写真である。
【図１３】は、本考案の多目的座布団の上体起し運動の上体上限の側面写真である。
【図１４】は、本考案の多目的座布団の膝付上体起し運動の上体下限の側面写真である。
【図１５】は、本考案の多目的座布団の膝付上体起し運動の上体上限の側面写真である。
【図１６】は、本考案の多目的座布団のスクワット運動の上体上限の側面写真である。
【図１７】は、本考案の多目的座布団のスクワット運動の上体下限の側面写真である。
【図１８】は、本考案の多目的座布団にアスリートが寝そべっている状態の写真である。
【符号の説明】
【００１９】１    基材
２    上面
３    傾斜部
４    溝部
５    踵部
６    爪先部
７ａ  側部
７ｂ  側部
８    滑り止め具
９    ピロー
１０  マット
１１  マット
【図１】
0003147128.tif 000003
【図２】
0003147128.tif 000004
【図３】
0003147128.tif 000005
【図４】
0003147128.tif 000006
【図５】
0003147128.tif 000007
【図６】
0003147128.tif 000008
【図７】
0003147128.tif 000009
【図８】
0003147128.tif 000010
【図９】
0003147128.tif 000011
【図１０】
0003147128.tif 000012
【図１１】
0003147128.tif 000013
【図１２】
0003147128.tif 000014
【図１３】
0003147128.tif 000015
【図１４】
0003147128.tif 000016
【図１５】
0003147128.tif 000017
【図１６】
0003147128.tif 000018
【図１７】
0003147128.tif 000019
【図１８】
0003147128.tif 000020